(57)【特許請求の範囲】
【請求項１】
ロール媒体から媒体を繰り出して券として使用するためのデータを印字部で印字し、適宜の長さに切断して発券する発券用プリンタにおいて、
ロール媒体の装填時に切断されるロール媒体の先端部分に対し、前記印字部により該先端部分を不用媒体として廃棄処理するための印字を行うように制御する制御手段を備えたことを特徴とする発券用プリンタ。
【請求項２】
請求項１において、
前記ロール媒体のニアエンドとエンドを検知する検知手段を設け、
前記制御手段は、前記検知手段が前記ロール媒体のニアエンドを検知した後に電源のスイッチがオフされると、前記検知手段が前記ロール媒体のエンドを検知するまで、前記印字部によりロール媒体に対して廃棄処理するための印字を行うように制御することを特徴とする発券用プリンタ。
【請求項３】
請求項２において、
前記ロール媒体を複数装填してそのうちの１つのロール媒体を前記印字部で印字する発券対象媒体とすると共に、各ロール媒体に対して前記検知手段を備え、
前記制御手段は、前記発券対象のロール媒体のニアエンドが検知手段により検知された後に、発券する券が長さの長い券か複数枚の券のいずれかである場合、発券対象のロール媒体をニアエンド状態にないロール媒体に切り替えるように制御することを特徴とする発券用プリンタ。
【発明の詳細な説明】
【０００１】
【発明の属する技術分野】
本発明は、自動発券装置に用いられる発券用プリンタに関し、特に、不正使用ができないように不用媒体を自動的に廃棄するのに有用な発券用プリンタに関するものである。
【０００２】
【従来の技術】
一般に、自動発券装置は、駅や空港等に設置され、列車の切符や航空機の搭乗券等を発券するために、発券用プリンタを内蔵したものが知られている。
従来の発券用プリンタとしては、ロール媒体を装填しておき、ロールを繰り出して、各種データの印刷（これを「印字処理」と呼ぶ。）や磁気ストライプへの書き込み（これを「磁気エンコード処理」と呼ぶ。）等の加工を行って、適宜な長さに切断して、列車の切符や航空機の搭乗券等の金券としての効力を持った各種券を発行する発券用プリンタが知られている。
【０００３】
【発明が解決しようとする課題】
ところが、上記従来の発券用プリンタでは、次回の起動時に使用できない残量となったロール媒体に残っている媒体や発券用プリンタにロール媒体を装填する時に面合わせのために切断・廃棄する媒体等の不用媒体が存在する場合には、その都度保守員が取り除く必要がある。そのため、不用媒体が保守員によって取り除かれずに残っている場合や単にゴミとしてそのままの状態で廃棄された場合等には、第三者が、不用媒体に対して印刷処理や磁気エンコード処理等の加工を施して金券としての効力を不正に持たせることによって、不用媒体を金券として故意に不正使用する恐れがあり、金券の管理の安全性に問題がある。
【０００４】
【課題を解決するための手段】
本発明は、ロール媒体から媒体を繰り出して券として使用するためのデータを印字部で印字し、適宜の長さに切断して発券する発券用プリンタにおいて、ロール媒体の装填時に切断されるロール媒体の先端部分に対し、前記印字部により該先端部分を不用媒体として廃棄処理するための印字を行うように制御する制御手段を備えたことを特徴とする。
【０００５】
また、本発明は、前記プリンタにおいて、前記ロール媒体のニアエンドとエンドを検知する検知手段を設け、前記制御手段は、前記検知手段が前記ロール媒体のニアエンドを検知した後に電源のスイッチがオフされると、前記検知手段が前記ロール媒体のエンドを検知するまで、前記印字部によりロール媒体に対して廃棄処理するための印字を行うように制御することを特徴とする。
【０００６】
さらに、本発明は、本発明は、前記プリンタにおいて、前記ロール媒体を複数装填してそのうちの１つのロール媒体を前記印字部で印字する発券対象媒体とすると共に、各ロール媒体に対して前記検知手段を備え、前記制御手段は、前記発券対象のロール媒体のニアエンドが検知手段により検知された後に、発券する券が長さの長い券か複数枚の券のいずれかである場合、発券対象のロール媒体をニアエンド状態にないロール媒体に切り替えるように制御することを特徴とする。
【０００７】
【発明の実施の形態】
以下、図面を参照して、本発明の実施の形態を説明する。なお、これによりこの発明が限定されるものではない。
図１は、実施の形態の発券用プリンタを備えた自動発券装置の説明図であり、（１）に接客面、（２）に内部側面、（３）に内部背面の要部を示す。この自動発券装置１００は、駅に設置され、顧客の操作により乗車券を発券する装置であり、（１）に示すように、顧客の存在を感知するアイキャッチャー１０１と、顧客の操作を誘導する表示をするとともに顧客に操作させる顧客操作部ＬＣＤ１０２と、口座を選択する口座ＳＷ１０３と、係員を呼び出す呼出しＳＷ１０４と、取引を取り消す取消しＳＷ１０５と、取引の料金を表示する料金表示器１０６と、数字等を入力するテンキー１０７と、硬貨を投入する硬貨投入口１０８と、定期券やカードを取り込むとともに返却する定期券／カード口１０９と、釣り銭等の硬貨を放出する硬貨放出口１１０と、紙幣を投入するとともに釣り銭等を放出する紙幣投入／放出口１１１と、発券する乗車券を排出する乗車券排出口１１２とを接客面に配置し、（２）及び（３）に示すように、前記アイキャッチャー１０１の近傍に配置した全体を制御する制御部１１３と、この制御部１１３に対して係員が指示を入力する係員操作部１１４と、紙幣を収納するとともに入出金する紙幣入出金部１１５と、硬貨を収納するとともに入出金する硬貨入出金部１１６と、この硬貨入出金部１１６に硬貨を補給するための硬貨補給カセット１１７と、その硬貨入出金部１１６から硬貨を回収するための硬貨回収カセット１１８と、全体の電力を供給する電源１１９と、定期券を発行するとともにプリペイドカード等のカードを取り扱う定期券発行／カード取扱部１２０と、乗車券を印刷して発行する乗車券発行機能としての発券用プリンタ１２１とを内蔵している。この発券用プリンタ１２１が、本発明の特徴となる処理を実行する部分であり、以下、これについて説明する。
【０００８】
図２は、発券用プリンタの説明図であり、（１）にその内部構成図、（２）に制御系のブロック図を示す。この発券用プリンタ１２１は、（１）に示すように、筐体１内の所定の位置に回転可能に取り付けて収納した二つのロール紙２ａ，２ｂと、各ロール紙２ａ，２ｂのニアエンドを検知するニアエンドセンサ３ａ，３ｂと、ロール紙２ｂのたるみを防止するたるみ防止バー４と、各ロール紙２ａ，２ｂから繰り出される紙に印字する印字部５と、各ロール紙２ａ，２ｂから繰り出される紙を切断するカッター部６と、切断された紙をターンさせるターン部７と、切断された紙に形成した磁気ストライプに書き込みを行う磁気部８と、不用媒体を回収する回収箱９ａ，９ｂと、各回収箱９ａ，９ｂに不用媒体を取り込む取込み機構部１０と、パンチかすを回収するパンチかす回収箱１１と、発券する金券を一時保留する一時保留部１２と、前記乗車券排出口１１２から自動発券装置１００の外部に金券を発券する排出口１３とを備えてあり、紙が各部を通過するように搬送経路が形成されている。
【０００９】
また、この発券用プリンタ１２１では、（２）に示すように、前記ニアエンドセンサ３ａ，３ｂと、前記印字部５と、前記カッター部６と、前記ターン部７と、前記磁気部８と、前記取込み機構部１０と、プログラム等を記憶する記憶部１４と、前記ロール紙２ａ，２ｂを繰り出したり、切断した紙を搬送する搬送制御部１５とが、前記自動発券装置１００の制御部１１３の指示に従って前記記憶部１４に記憶されているプログラムを実行することにより全体の制御を司る主制御部１６に接続している。その主制御部１６の制御によって、本実施の形態では、特に、ロール紙２ａ，２ｂの装填時に面合わせした際に、切断された不用媒体に対して券面の破壊を行う処理、又は、各ロール紙２ａ，２ｂのニアエンドを各ニアエンドセンサ３ａ，３ｂが検知した場合に図示しない電源をオフして、ニアエンドになった該当のロール紙２ａ又はロール紙２ｂに対して券面の破壊を行う処理を実行する廃棄処理機能、及び、ロール媒体のニアエンドを検知後に、発券する券片の長さに応じて使用するロール媒体２ａ，２ｂを切り替えて発券を行うことにより不用媒体の発生を最小限に抑える処理を行うニアエンド検知時の発券機能を実現する。なお、本実施の形態では、前記主制御部１６が発券用プリンタ１２１を制御するものとして説明するが、前記制御部１１３が直接に制御するようにしてもよい。
【００１０】
図３に、実施の形態の不用媒体の廃棄処理の説明図を示す。この不用媒体Ｐには、廃棄処理の券面印字Ｐ１を行って券面の破壊を行う。例えば、図に示すように、対角線上にＸ字型に線を引いた状態とするが、これに限らず、通常の印刷とは異なる印刷を施して券面の破壊が行われたことがわかるようにすればよい。なお、図中、この不用媒体Ｐでは、白抜き破線矢印方向を券片搬送方向とし、二点鎖線を面合カット面として表してある。
【００１１】
まず、ロール媒体２ａ，２ｂを装填し、ロール紙２ａを繰り出し対象とする場合には、操作者は、ロール媒体２ａの紙先端を繰り出して搬送経路上を通し、印字部５の部分に紙先端を挿入する。すると、主制御部１６は、図示しないセンサ等により紙先端が挿入されたことを認識し、面合わせを行うために、カッター部６を稼働して、紙先端を適宜な長さ切断する。そして、切断された紙片を、印字部５を通過させていく際に、図３を用いて説明した廃棄処理の券面印字を行い、回収箱９ａ，９ｂに収納するか、または、排出する。
【００１２】
また、ロール媒体２ａ，２ｂの媒体残量のニアエンドがニアエンドセンサ３ａ，３ｂにより検知されると、主制御部１６はその旨を制御部１１３に通知し、制御部１１３は、図示しない表示部等に表示して操作者に報知する。この時、操作者が電源１１９の図示しないスイッチ（ＳＷ）をオフすると、制御部１１３は主制御部１６に通知し、主制御部１６はニアエンドを検知したロール媒体に対し、廃棄処理、つまり、ニアエンドエンサが媒体エンドを検出するまで、正規の媒体と不用媒体とを区別する目印を付与、例えば、印字を行うようにした。この場合をフローチャートを用いて更に詳細に説明する。
【００１３】
図４に、実施の形態の廃棄処理のフローチャートを示す。
Ｓａ１：主制御部１６は、電源１１９の図示しないスイッチ（ＳＷ）がオフされたか否かを判断している。オフされた場合には、廃棄処理を開始するため、処理をＳａ２に移す。
Ｓａ２：主制御部１６は、いずれかのロール紙２ａ，２ｂがニアエンドになっているか否かを各ニアエンドセンサ３ａ，３ｂの出力に基づき判断する。ニアエンドの場合には処理をＳａ３に移し、正常の場合には処理をＳａ７に移す。
【００１４】
Ｓａ３：主制御部１６は、ニアエンド対象ロールか否か、つまり、印字部５にセットされている方のロール媒体か否かを判断し、セットされていない方、例えば、印字部５にセットされている方がロール紙２ｂの場合であって、ニアエンドセンサ３ｂがロール紙２ｂのニアエンドを検知したときには、処理をＳａ４に移す。また、セットされている方、例えば、印字部５にセットされている方がロール紙２ａの場合であって、ニアエンドセンサ３ａがロール紙２ａのニアエンドを検知したときには、処理をＳａ５に移す。
【００１５】
Ｓａ４：主制御部１６は、もう一方のロール紙の繰り出しに切り替える。例えば、ロール紙２ａの繰り出しからロール紙２ｂの繰り出しに切り替える。なお、両方のロール紙２ａ，２ｂがニアエンドの場合には、表示等により保守員に対して給紙を促す。
Ｓａ５：主制御部１６は、１枚分の廃棄処理を行う。例えば、印字部５にセットされている方がロール紙２ａの場合であって、ニアエンドセンサ３ａがロール紙２ａのニアエンドを検知したときには、ロール紙２ａの先端部分に対して、図３を用いて説明した廃棄処理の券面印字を行い、適宜な長さに切断し、回収箱９ａ，９ｂに収納するか、または、排出する。
【００１６】
Ｓａ６：主制御部１６は、廃棄処理を行ったロール紙がエンドか否かを判断する。エンドでない場合には処理をＳａ５に戻し、エンドの場合には処理をＳａ７に移す。
Ｓａ７：主制御部１６は、電源１１９をオフしても良い旨を制御部１１３に通知して電源１１９をオフさせる。
【００１７】
なお、ニアエンドセンサによってニアエンドが検出された場合には、例えば、発券する券片が、例えば、エドモンソン券のときは、ニアエンドを検出したロール紙側で発券し、例えば、エドモンソン券よりも大きい大型券を発券するときは、ロール媒体の切り替えを行い発券を行うことにより、不用ロール媒体となる媒体長を抑えるのが好ましい。ここで、エドモンソン券とは、日本鉄道サイバネティックス協議会によると、長手方向は約５７．５ｍｍ、短手方向は約３０ｍｍの長方形の形状の近距離用普通乗車券として規格化されている。また、大型券は、同協議会による規格ではないが、一般に、長手方向は約８５ｍｍ、短手方向は約５７．５ｍｍの長方形の形状（定期乗車券サイズ）、又は、長手方向は約１０ｍｍ、短手方向は約５７．５ｍｍの長方形の形状のものが知られている。したがって、上述のエドモンソン券や大型券を発券するためには、例えば、幅５７．５ｍｍのロール紙２ａ，２ｂを発券用プリンタ１２１にセットし、適宜の大きさにカットして発券することになる。次に、この時の発券処理を説明する。図５に、そのフローチャートを示す。
【００１８】
Ｓｂ１：主制御部１６は、ニアエンドセンサ３ａ，３ｂの出力を監視し、発券対象のロール紙２ａ，２ｂがニアエンドになったか否かを判断している。ニアエンドの場合には処理をＳｂ２に移し、ニアエンドでない場合には処理をＳｂ４に移す。ここで、発券対象とは、印字部５の部分に紙片の先端が挿入されているロール紙をいう。
【００１９】
Ｓｂ２：主制御部１６は、制御部１１３からの指示に基づき、発券種別がエドモンソン券の場合には処理をＳｂ３に移し、エドモンソン券でない場合には処理をＳｂ５に移す。
Ｓｂ３：主制御部１６は、制御部１１３からの指示に基づき、発券枚数が１枚か否かを判断する。１枚の場合には処理をＳｂ４に移し、１枚でない場合には処理をＳｂ５に移す。
【００２０】
Ｓｂ４：主制御部１６は、１枚だけ発券処理を行う。例えば、印字部５によって券面印刷させし、カッター部６によって適宜な長さに切断する。また、券の印刷面とは反対側に磁気面がある場合には、磁気部８によって磁気書き込みを行う。
Ｓｂ５：主制御部１６は、ニアエンド状態のロール紙からニアエンド状態にないロール紙からの繰り出しに切り替える。
【００２１】
Ｓｂ６：主制御部１６は、要求の発券枚数だけ発券処理を行う。例えば、印字部５によって券面印刷させし、カッター部６によって適宜な長さに切断する。また、券の印刷面とは反対側に磁気面がある場合には、磁気部８によって磁気書き込みを行う。
Ｓｂ７：主制御部１６は、ニアエンド状態のロール紙からの繰り出しに切り替える。
【００２２】
Ｓｂ８：主制御部１６は、発券対象のロール紙がエンドとなっているか否かを判断する。エンドの場合には処理をＳｂ９に移し、エンドでない場合には処理を終了する。
Ｓｂ９：主制御部１６は、エンド状態のロール紙からエンド状態にないロール紙からの繰り出しに切り替える。
【００２３】
上記実施の形態によると、ロール紙の装填時やエンド時に、印字されていない状態の不用な券片に対して廃棄処理の券面印字を行うようにしたため、不用な券片を不正に利用されるのを防止することができるようになる。
また、ニアエンドを検知した時点で、発券種類に応じた長さからロール媒体の残量を考慮するようにしたため、２つのロール媒体を印字可能な範囲まで使いきることができ、残ロール媒体の長さも最小限に抑えることができるようになり、経済的になる。
【００２４】
【発明の効果】
以上説明したように本発明によると、ロール媒体から繰り出して切断した媒体片が不用媒体の場合には、媒体片に対して、正規の媒体と不用媒体とを区別する目印を付与、例えば、印字を行うなどする廃棄処理を行った後に、媒体片を廃棄するようにしたため、不用な媒体片を不正に利用されるのを防止することができる効果が得られる。このため、不用媒体を金券として故意に不正使用する恐れがなくなり、金券の管理の安全性が高くなる効果が得られる。
【図面の簡単な説明】
【図１】  実施の形態の発券用プリンタを備えた自動発券装置の説明図
【図２】  実施の形態の発券用プリンタの説明図
【図３】  実施の形態の不用媒体の廃棄処理の説明図
【図４】  実施の形態の廃棄処理のフローチャート
【図５】  実施の形態のニアエンド時の発券処理のフローチャート
【図２】
0003754853.tif 000002
【図３】
0003754853.tif 000003
【図４】
0003754853.tif 000004
【図１】
0003754853.tif 000005
【図５】
0003754853.tif 000006